(57)【要約】【課題】高圧圧力が高くなるＨＦＣ系代替冷媒を用いた場合でも騒音の発生を低減する。【解決手段】圧縮機６、四方弁１０、室外熱交換器７、室内熱交換器１、電子膨張弁５を順次接続して冷凍サイクルを構成し、室外熱交換器７の送風ファン９を駆動する室外ファンモータを有し、暖房運転時において室外熱交換器７に着霜したとき、四方弁１０を切り換え、冷房運転モードにして逆サイクル除霜運転を行う空気調和機において、除霜運転中は室外ファンモータを停止させ、除霜運転終了後は室外ファンモータを駆動させた後、四方弁１０を切り換える。【選択図】図４
2004233015.tif 000002
【特許請求の範囲】
【請求項１】
圧縮機、四方弁、室外熱交換器、室内熱交換器、電子膨張弁を順次接続して冷凍サイクルを構成し、室外熱交換器の送風ファンを駆動する室外ファンモータを有し、暖房運転時において前記室外熱交換器に着霜したとき、前記四方弁を切り換え、冷房運転モードにして逆サイクル除霜運転を行う空気調和機において、
除霜運転中は前記室外ファンモータを停止させ、除霜運転終了後は前記室外ファンモータを駆動させた後、前記四方弁を切り換えることを特徴とする空気調和機。
【請求項２】
圧縮機、四方弁、室外熱交換器、室内熱交換器、電子膨張弁を順次接続して冷凍サイクルを構成し、室外熱交換器の送風ファンを駆動する室外ファンモータ有し、暖房運転において前記室外熱交換器に着霜したとき、前記四方弁を切り換え、冷房運転モードにして逆サイクル除霜運転を行う空気調和機において、
前記冷凍サイクルの高圧圧力を検出する高圧圧力検出装置を備え、除霜運転中は前記室外ファンモータを停止させ、除霜運転終了後は前記高圧圧力検出装置による検出圧力が所定圧力に低下するまで前記室外ファンモータを駆動させた後、前記四方弁を切り換えることを特徴とする空気調和機。
【請求項３】
圧縮機、四方弁、室外熱交換器、室内熱交換器、電子膨張弁を順次接続して冷凍サイクルを構成し、室外熱交換器の送風ファンを駆動する室外ファンモータ有し、暖房運転において前記室外熱交換器に着霜したとき、前記四方弁を切り換え、冷房運転モードにして逆サイクル除霜運転を行う空気調和機において、
除霜運転中は前記室外ファンモータを停止させ、除霜運転終了後は前記室外熱交換器の凝縮温度が所定温度になるまで前記室外ファンモータを駆動させた後、前記四方弁を切り換えることを特徴とする空気調和機。
【発明の詳細な説明】
【０００１】
【発明の属する技術分野】
本発明はヒートポンプ式空気調和機に関し、特に運転モード切り換え時等で発生する騒音を低減するものに好適である。
【０００２】
【従来の技術】
除霜運転終了後、冷媒の高圧圧力の低下速度を早め、四方弁の切り換えを早めても室内機への冷媒流入音が発生しないようにすることが知られ、例えば特開平７−１７４４４１号公報（特許文献１）に記載されている。
【０００３】
また、暖房運転中の室外熱交換器入口に冷媒温度検出手段を設け、冷媒温度が所定温度より低くなったとき室外熱交換器が着霜したと判定し、圧縮機の運転周波数を下げて低速運転させ、所定時間経過後、つまり高圧圧力が低下してから四方弁を冷房運転側に切り換え除霜運転に移行することが特開平１０−２５３２０５号公報（特許文献２）に記載されている。
【０００４】
【特許文献１】
特開平７−１７４４４１号公報
【特許文献２】
特開平１０−２５３２０５号公報
【０００５】
【発明が解決しようとする課題】
ＨＦＣ系代替冷媒においては、従来のＨＣＦＣ系冷媒に比べ設計圧力が高く高圧圧力が高くなるという特性がある。このため本特性に見合った冷凍サイクル構成および冷凍サイクル制御とする必要があり、特に、除霜運転が終了して四方弁を切り換えたとき、室内側へ伝播する冷媒流入音の発生を抑制しなければならない。
【０００６】
また、低い外気温度で暖房運転するときに、室外熱交換器の蒸発温度が低下して室外熱交換器が着霜するが、この霜をとるために冷房運転に切り換えるいわゆる逆サイクル除霜運転が行われている。この除霜運転において、室外熱交換器送風用ファンを止め、室外熱交換器に圧縮機からの高圧ガスを流入させ霜を溶かせるが、室外熱交換器送風用ファンを止める影響で室外機熱交換器の霜が少ないときは高圧圧力が上がり易くなる。この状態で除霜運転を終了すると四方弁内の切り換え弁の前後差圧が大きくなり、四方弁を切り換えるときに室内機側への冷媒流入音が大きくなる。
【０００７】
特許文献１に記載のものでは、除霜終了後圧縮機を停止させるが、除霜終了後スムーズに暖房運転を立ち上げることが困難となる。また、除霜運転後、圧縮機を停止させることで蒸発器での冷媒がガス化されにくく、圧縮機吸入側に液冷媒が戻りやすくなり圧縮機の信頼性が低下する恐れがある。
【０００８】
特許文献２に記載のものでは、圧縮機の運転周波数を可変することができる空気調和機では除霜運転直前の圧力をコントロールすることができるが、運転周波数が商用電源で固定される空気調和機では圧力のコントロールができない。
【０００９】
本発明の目的は、上記従来技術の課題を解決し、特に高圧圧力が高くなるＨＦＣ系代替冷媒を用いた場合でも騒音の発生を低減することにある。
【００１０】
【課題を解決するための手段】
本発明は上記目的を達成するために、本発明は、圧縮機、四方弁、室外熱交換器、室内熱交換器、電子膨張弁を順次接続して冷凍サイクルを構成し、室外熱交換器の送風ファンを駆動する室外ファンモータを有し、暖房運転時において前記室外熱交換器に着霜したとき、前記四方弁を切り換え、冷房運転モードにして逆サイクル除霜運転を行う空気調和機において、除霜運転中は前記室外ファンモータを停止させ、除霜運転終了後は前記室外ファンモータを駆動させた後、前記四方弁を切り換えるものである。
【００１１】
また、本発明は、圧縮機、四方弁、室外熱交換器、室内熱交換器、電子膨張弁を順次接続して冷凍サイクルを構成し、室外熱交換器の送風ファンを駆動する室外ファンモータ有し、暖房運転において前記室外熱交換器に着霜したとき、前記四方弁を切り換え、冷房運転モードにして逆サイクル除霜運転を行う空気調和機において、前記冷凍サイクルの高圧圧力を検出する高圧圧力検出装置を備え、除霜運転中は前記室外ファンモータを停止させ、除霜運転終了後は前記高圧圧力検出装置による検出圧力が所定圧力に低下するまで前記室外ファンモータを駆動させた後、前記四方弁を切り換えるものである。
【００１２】
さらに、本発明は、  圧縮機、四方弁、室外熱交換器、室内熱交換器、電子膨張弁を順次接続して冷凍サイクルを構成し、室外熱交換器の送風ファンを駆動する室外ファンモータ有し、暖房運転において前記室外熱交換器に着霜したとき、前記四方弁を切り換え、冷房運転モードにして逆サイクル除霜運転を行う空気調和機において、除霜運転中は前記室外ファンモータを停止させ、除霜運転終了後は前記室外熱交換器の凝縮温度が所定温度になるまで前記室外ファンモータを駆動させた後、前記四方弁を切り換えるものである。
【００１３】
【発明の実施の形態】
以下、図を参照して本発明の一実施の形態を説明する。
図の空気調和機は室内機と室外機を組み合わせたセパレ−ト型空気調和機であり、室内機と室外機にて冷凍サイクルを構成し、コントロ−ル装置からの信号により、冷房運転、暖房運転を行う。
図１に室内機の構造図を示し、室内機は熱交換器１、送風用電動機２、送風用ファン３より構成され、運転／停止、冷房／暖房、保護装置等を制御するための制御装置４を備えている。また、冷媒流量制御用の電子膨張弁５が取り付けられている。
【００１４】
図２に室外機の構造図を示し、室外機は圧縮機６、熱交換器７、送風用電動機８、送風用ファン９、冷房・暖房切り換え用四方弁１０、余剰冷媒保有用のレシーバタンク１１、冷媒流量制御用の電子膨張弁１６より構成され、室内機と同様、室外機にも冷房／暖房、圧縮機のＯＮ／ＯＦＦ、保装置等を制御するための制御装置１２を備えている。
図３はコントロ−ル装置であり、コントロ−ル装置１３は室内機と接続され、運転・停止または冷房・暖房または温度設定の信号を出力することにより、任意の運転条件にて空調することができる。
【００１５】
図４にサイクル系統図を示し、主として、圧縮機６、四方弁１０、室外熱交換器７、送風用ファン（室外）９、レシーバタンク１１、電子膨張弁（室外）１６、室内熱交換器１、送風用ファン（室内）３、電子膨張弁（室内）５、から構成され、ガス管用接続管１４、液管用接続管１５により接続されている。
【００１６】
冷凍サイクル運転時の動作について説明する。
冷房運転時には、圧縮機６から吐出された高温高圧のガス冷媒は四方弁１０を経由し、室外熱交換器７にて送風用ファン（室外）９により送風される空気により冷却されガス冷媒は凝縮液化する。液冷媒はレシーバタンク１１に保有された後、電子膨張弁（室外）１６および液管用接続管１５を通じ電子膨張弁（室内）５で減圧され、室内熱交換器１にて送風用ファン（室内）で送られる空気から熱を吸熱して蒸発することにより低温低圧のガス冷媒となる。低温低圧のガス冷媒はガス管用接続管１４を介し再度室外機側に戻り、四方弁１０を通過した後、圧縮機６に戻って再度同じサイクルを繰り返す。
【００１７】
暖房時には、圧縮機６から吐出された高温高圧のガスは四方弁１０を経由し、ガス管用接続管１４を通り、室内機側に入り、室内熱交換器１で送風用ファン（室内）３から送風される空気で冷却されガス冷媒は凝縮液化する。液冷媒は膨張弁（室内）５で減圧されて液管用接続管１５を通過し、再度室外機側に戻り、液冷媒はレシーバタンク１１に保有された後、電子膨張弁（室外）１６で減圧され、室外熱交換器７にて室外機用送風機５から送風される空気から吸熱して蒸発した後低温低圧のガス冷媒となり、四方弁１０を介して圧縮機６に戻って再度同じサイクルを繰り返す。
【００１８】
次に暖房運転時の除霜について説明する。
図５は暖房運転中の除霜運転時のタイムチャートを示し、外気温度が低い場合は、室外熱交換器７の蒸発温度が０度以下まで低下して熱交換器表面に霜が付着する。室外機用制御装置１２は室外機熱交換器７の液側配管に取り付けた暖房室外蒸発温度検出用サーミスタ１７の検出温度が除霜入条件設定温度にまで低下したことを検知し、除霜モードに入る。
室外熱交換器７に付着した霜を融かすためには、圧縮機６から吐出される高圧ガス冷媒を室外熱交換器７に流入させる。つまり、四方弁を冷房モードになるよう暖房モードから反転させるので、いわゆる逆サイクル除霜となる。そして、室外熱交換器７での放熱を防止するため室外ファンモータ８の駆動を停止させ室外ファン９により送り出される送風を停止させる。つぎに、除霜運転に入り除霜が進んでくると室外ファン９を停止させていることから高圧圧力が急激に上昇し、室外熱交換器７の温度も上昇する。
【００１９】
室外機熱交換器７の液側配管に取り付けた暖房室外蒸発温度検出用サーミスタ１７によって、除霜終了設定温度に到達したことが検知されると、室外機用制御装置１２は四方弁１０を冷房モードから暖房モードにして冷媒の流れ方向を逆転させ、除霜を終了させる。ただし、除霜終了と同時に暖房モードに復帰するため、室外ファン９を室外ファンモータ８により駆動して室外熱交換器７による室外機空気からの熱の汲み上げを促進する。
【００２０】
また、四方弁１０の反転をもって除霜を終了するが、四方弁を反転させる直前の高圧圧力は除霜終了時高くなっており四方弁１０前後の差圧が大きい状態で四方弁を反転させると高圧冷媒がガス配管１４を介して室内熱交換器１に流入して室内機側で四方弁１０の切り換え音が聞こえることになり、除霜終了時室内機側の快適性を悪化させることになる。そこで、図６に示すように室外機用制御装置１２は、暖房室外蒸発温度検出用サーミスタ１７の検出温度が除霜終了設定温度に到達したことを検知したとき、停止させていた室外ファ９を室外ファンモータ８で駆動させ室外機熱交換器７に空気を送り込み室外熱交換器７での放熱を促進させ高圧圧力を強制的に低下させる。その後、室外ファン９による室外熱交換器７への送風時間が設定された所定時間を経過したとき四方弁１０を反転させ暖房モードに復帰させる。
【００２１】
除霜運転が終了した時点ですぐに四方弁１０を反転させ除霜を終了させるのではなく、室外ファン９により室外熱交換器７空気を送り込むことにより高圧圧力を低下させ四方弁１０前後差圧を低下させることにより四方弁が反転するとき発生する室内機への冷媒流入音を低減することができる。
【００２２】
図７は、他の実施の形態を示し、室外機用制御装置１２が暖房室外蒸発温度検出用サーミスタ１７の検出温度が除霜終了設定温度に到達したことを検知したとき、室外機用制御装置１２は停止させていた室外ファン９を駆動させ、室外熱交換器７での放熱を促進させ、高圧圧力を強制的に低下させる。
室外ファン９による室外熱交換器７への送風により高圧圧力が四方弁１０の切り換え音を発生させない所定圧力まで低下したことを室外制御装置１２が高圧圧力センサ１８により検知したとき四方弁１０を反転させ暖房モードに復帰させる。除霜運転が終了した時点ですぐに四方弁１０を反転させ除霜を終了させるのではなく、室外ファン９により室外熱交換器７に空気を送り込むことにより高圧圧力を低下させ四方弁１０前後差圧を低下させることにより四方弁１０が反転するとき発生する室内機への冷媒流入音を低減することができる。除霜終了後高圧圧力を低下させるとき高圧圧力センサ１８を使用することにより除霜後の高低圧をバランスさせる時間を最短になるので、早く暖房運転に復帰させることができ、除霜運転時の快適性を向上させることができる。
【００２３】
図８は、さらに他の実施の形態を示し、室外機用制御装置１２は暖房室外蒸発温度検出用サーミスタ１７の検出温度が除霜終了設定温度に到達したことを検知したとき、停止させていた室外ファン９を室外ファンモータ８で駆動させ、室外機熱交換器７に空気を送り込み、室外熱交換器７での放熱を促進させ高圧圧力を強制的に低下させる。室外ファン９による室外熱交換器７への送風により所定圧力まで低下したことを検知したとき四方弁１０を反転させ、暖房モードに復帰させ。除霜運転が終了した時点ですぐに四方弁１０を反転させ除霜を終了させるのではなく、室外ファン９により室外熱交換器７に空気を送り込むことにより高圧圧力を低下させ四方弁１０前後差圧を低下させることにより、四方弁が反転するとき発生する室内機への冷媒流入音を低減することができる。
【００２４】
また除霜終了後高圧圧力を低下させるとき室外蒸発温度検出用サーミスタを使用することにより除霜後の高低圧をバランスさせる時間を最短にすることができ、できるだけ早く暖房運転に復帰させることができ除霜運転時の快適性を向上させることができる。
【００２５】
オゾン層破壊保護のためＨＣＦＣ冷媒からＨＦＣ冷媒への変更が推進されているが、ＨＦＣ冷媒はＨＣＦＣ冷媒に比べ設計圧力が１．１倍から１．４倍と高くなっており、騒音が発生し易いが、上記によって高圧圧力に対応した冷凍サイクルとすることができる。また、次のようなメリットがある。
１．製造者のメリット
除霜終了時、高圧配管と圧縮機吸入側の低圧側を電磁弁等の電動製開閉装置を介し連結することで高圧圧力を低減させ、四方弁の前後差圧を低減する方法では高圧冷媒を低圧側に逃がすバイパス回路が必要となり製造時銅配管を電磁弁を介してロー付け接続するという工程が必要となり製造コストがアップし、ロー付け箇所が増えるためガス漏れ等の発生する可能性がある。しかし、上記方法では、バイパス回路を必要とせず、製造コストがかからず、かつ信頼性を向上できる。
２．消費者のメリット
除霜終了時の高圧冷媒が室内機側流入することにより発生する冷媒流入音を低減させ室内機側での騒音低減および室内機の振動低減をはかることができ、室内機側の快適性を損なうことない。
３．工事業者のメリット
除霜終了時の高圧冷媒が室内機側流入することにより室内外接続配管が振動するため、配管固定を頑強にして冷媒配管の振動が天井、壁等に伝播しないようにする必要があるが、上記によれば通常の配管施工でも高圧冷媒の室内機側への流入を防止することができ、配管工事施工の省工事化を図ることができる。
４．その他のメリット
所定時間圧縮機の回転数を落として高圧圧力を下げることで騒音および振動を低減させることができるが、定速圧縮機を搭載した空気調和機では対応不可であるが、上記によれば定速圧縮機の場合でも可能であり、安価で信頼性の高いものとすることができる。
【００２６】
【発明の効果】
以上述べたように、本発明によれば、高圧圧力が高くなるＨＦＣ系代替冷媒を用いた場合でも騒音の発生を低減することができる。
【図面の簡単な説明】
【図１】室内機の構成を示す平面図、及び側断面図。
【図２】室外機の構成を示す内部の平面図及び側面図。
【図３】コントロ−ル装置の正面図。
【図４】本発明による一実施の形態によるサイクル系統図。
【図５】従来例による冷凍サイクルの圧力、温度を示すタイムチャート。
【図６】一実施の形態による冷凍サイクルの圧力、温度を示すタイムチャート。
【図７】他の実施の形態による冷凍サイクルの圧力、温度を示すタイムチャート。
【図８】さらに、他の実施の形態による冷凍サイクルの圧力、温度を示すタイムチャート。
【符号の説明】
１…室内熱交換器、２…送風用電動機（室内）、３…送風用ファン（室内）、４…室内制御装置、５…電子膨張弁（室内）、６…圧縮機、７…室外熱交換器、８…送風用電動機（室外）、９…送風用ファン（室外）、１０…四方弁、１１…レシーバタンク、１２…室外制御装置、１３…コントロ−ル装置、１４…ガス管用接続管、１５…液管用接続管、１６…電子膨張弁（室外）、１７…配管サ−ミスタ、１８…圧力センサ、１９…圧力遮断用圧力ＳＷ。
【図１】
2004233015.tif 000003
【図２】
2004233015.tif 000004
【図３】
2004233015.tif 000005
【図４】
2004233015.tif 000006
【図５】
2004233015.tif 000007
【図６】
2004233015.tif 000008
【図７】
2004233015.tif 000009
【図８】
2004233015.tif 000010